(57)【特許請求の範囲】
【請求項１】
携帯端末の報知方法において、
カメラモードに切換えられると発光手段によりその旨を報知し、
該カメラモードに切り換えられた後、撮影ボタンが押下された場合、
前記カメラモードに切換えられたことを報知する報知形態と異なる形態で、前記撮影ボタンが押下されたことを前記発光手段により報知する
ことを特徴とする携帯端末の報知方法。
【請求項２】
カメラモードを有する携帯端末において、
撮影ボタンと、発光手段とを有し、
カメラモードに切換えられると前記発光手段によりその旨を報知し、該カメラモードに切り換えられた後、前記撮影ボタンが押下された場合、前記カメラモードに切換えられたことを報知する報知形態と異なる形態で、前記撮影ボタンが押下されたことを前記発光手段により報知するように制御する制御手段を備えたことを特徴とする携帯端末。
【発明の詳細な説明】
【技術分野】
【０００１】
本発明は、カメラを使用して人や風景等を撮影できる携帯端末（携帯電話機、情報端末（ＰＤＡ：Personal Digital Assistant）、ボイスレコーダ、ノートＰＣ等）に関するものであり、特に、その携帯端末の動作状態を報知するものである。
【背景技術】
【０００２】
近年の携帯端末、特に携帯電話機は、高機能化と市場のニーズによりカメラ付きの携帯電話機が広く普及し始めている。これらカメラ付きの携帯電話機にあって、最近のカメラ付き携帯電話機の画素数はＣＩＦ（１０万画素程度）からＶＧＡ（３５万画素程度）へと高画素数化が図られている。これにより、比較的低解像度の画像を扱う、つまり当初の操作者自身の顔を撮影するか、至近距離の相手画像を取り込むことを前提とした使用から、高解像度の画像となる遠距離の相手の画像を取り込む使用へと変化している。また、これに伴い、携帯電話機におけるカメラの配置は従来の表示部とほぼ同じ面に配置するものよりも、表示部と反対の面、例えば表示部の有る面を正面とした場合、筐体の背面に配置しているものや、カメラを回動することでカメラの向きを自由にできるものが増え、相手や風景等の画像を撮影できるようにしたものが多い。また、このような市場の変化によりカメラ機能もズームやオートフォーカスの機能も追加されている。
【発明の開示】
【発明が解決しようとする課題】
【０００３】
しかしながら、上述したように携帯電話機のカメラが筐体の背面に配置されている場合やカメラが操作者以外のところを向いている場合、操作者が撮影する意志がなくてもカメラ（レンズ）が人に向いてしまうことがある。そのため、周囲の人（カメラを向けられている人）は携帯電話機の操作者がカメラモードにしているのか、それとも単に携帯電話機を操作しているだけなのか、見た目からでは判断できないので、携帯電話機のカメラ（レンズ）を向けられている人は撮影されているのか、または、撮影されていないのかわからなかった。
【０００４】
このような問題に対して、撮影直後のタイミングを音で報知するようにしているものがあるが、これでは撮影されたことしかわからず、撮影されることを事前に知ることはできないという問題があった。また、騒音がひどい場所ではこの音でさえも聞こえないという問題があった。
【課題を解決するための手段】
【０００５】
上記課題を解決するために請求項１記載の発明によれば、カメラモードに切換えられると発光手段によりその旨を報知し、該カメラモードに切り換えられた後、撮影ボタンが押下された場合、前記カメラモードに切換えられたことを報知する報知形態と異なる形態で、前記撮影ボタンが押下されたことを前記発光手段により報知することを特徴とする。
【０００６】
また、請求項２記載の発明によれば、カメラモードを有する携帯端末において、撮影ボタンと、発光手段とを有し、カメラモードに切換えられると前記発光手段によりその旨を報知し、該カメラモードに切り換えられた後、前記撮影ボタンが押下された場合、前記カメラモードに切換えられたことを報知する報知形態と異なる形態で、前記撮影ボタンが押下されたことを前記発光手段により報知するように制御する制御手段を備えたことを特徴とする。
【０００７】
これにより、撮影が終了したタイミングを撮影相手は認識することができる。
【発明の効果】
【００１０】
以上説明した通り、本発明の携帯型電話装置を用いれば、次の効果が得られる。
【００１１】
（１）カメラを向けられている人は携帯電話機の操作者がカメラモードにしているのか判断できる。
【００１２】
（２）着信報知用のＬＥＤと兼用することにより回路スペースの問題やコスト削減にもなる。
【００１３】
（３）着信報知用のＬＥＤがカメラモードに切換えたことを報知している時に着信を受けてもユーザに着信を報知することができる。また、撮影相手も着信を認識することができるため、撮影が中断される可能性があることを予測できる。
【００１４】
（４）撮影直前及び直後のタイミングを撮影相手に知らせることができる。
【００１５】
（５）着信報知用のＬＥＤが着信を受けて報知しているのか、または、シャッターボタンが押下されたことを報知しているのかを撮影相手は区別することができる。
【００１６】
（６）発光素子を用いてカメラモード及びシャッターボタンの押下など動作状態を報知したことにより騒音がひどい場所や、音を出せない場所、更には撮影相手が遠くにいる場合においても、撮影相手は上述した状態を知ることができる。
【発明を実施するための最良の形態】
【００１７】
以下、本発明の一実施例に基づいて図を用いて説明する。
【００１８】
図１及び図２は、本発明の一実施例であるカメラ付き携帯電話機の外観構成を示す図である。図１及び図２中の符号１は携帯電話機本体である。この携帯電話機本体１には、アンテナ２、操作部３、マイク４、カメラ部５、着信用ＬＥＤ６、着信報知用スピーカ７、受話スピーカ８、表示部９といった携帯電話機１の背面（表示部の有る面を正面とした場合）にカメラが付いている携帯電話機の基本的な構成となっている。
【００１９】
操作部３は、各種操作指示を行うためのものである。この操作部３には電源ボタン、着信ボタン、撮影（シャッター）ボタン、機能選択キー（ファンクションキー）などの各種ボタン及び操作キーが設けられている。表示部９はＬＣＤ（Liquid Crystal Display）からなり、電話番号の表示やカメラモードなどのメニュー画面などの表示を行う。また、この表示部にはカメラ部５が映している画像や、取り込んだ画像なども表示される。なお、カメラ部５は、ＣＣＤ撮影素子などが用いられ、表示部９の面に対して反対の面（背面）に設けられている。
【００２０】
着信用ＬＥＤ６は、着信があった時に点灯／点滅することでユーザに着信を報知するものである。この着信用ＬＥＤ６は、着信があったときに出来るだけ携帯電話機のどの面を見てもユーザが気付くように、同様に着信を点灯／点滅して報知する表示部９がユーザに対する認識をカバーできない位置に設けられている。
【００２１】
従って、着信用ＬＥＤ６とカメラ部５は近くに設けることが望ましい。
【００２２】
このような構成のカメラ付き携帯電話機にあっては、通常の電話機（データ通信、メール、インターネットブラウザの使用も含む）として使用する場合と、カメラ部を使用する場合（カメラモード）の２つの使用形態（動作状態）がある。
【００２３】
そして、これら使用モードを表す動作状態以外にも、後に述べるようにカメラ部を使用する場合（カメラモード）において、撮影準備中（撮影直前）や撮影直後のような処理状況を表す動作状態がある。
【００２４】
＜カメラモード＞  
通常の電話機からカメラ部を使用するモード。ユーザがメニュー画面を操作することによりカメラモードに切換えられる。または、機構的にカメラモードに切換えられる方式もある。
【００２５】
＜撮影準備中（撮影直前）＞  
シャッターボタン（撮影ボタン）を半押しすることで自動焦点調節（オートフォーカス）が開始され、自動焦点調節の完了（合焦）にてフォーカスがロックされる。そして、シャッターボタンを更に押すことにより画像を取り込む。つまり、シャッターボタンを押してから記録を開始するまでの期間。なお、いきなり、シャッターボタンを全押ししたときには、まず、自動焦点調節を行い、ピントが合うのを待ち、これが完了したときに、画像を取り込む。従って、この場合は、シャッターを押した直後から記録を開始するまでの期間である。
【００２６】
＜撮影直後＞  
取り込んだ画像の記録を開始し、表示部に表示されるまでの期間。又は、記録開始後、表示されてから数秒間までの期間。
【００２７】
次に、図３は本発明のカメラ付き携帯電話機の回路構成を示すブロック図である。携帯電話機は、携帯電話機全体の制御を司る制御部（ＣＰＵ）１８に各機能ブロックが接続された構成を有する。
【００２８】
アンテナ１１は、通信に使用する電波の送信／受信を行う。メモリ１９は例えばＲＯＭ及び不揮発性のＲＡＭから構成され、制御部１８やディジタル信号処理プロセッサ（ＤＥＰ）１３が実行するプログラムや各種設定値、送受信メール、着信音データ、アドレス帳データ、画像データなどのデータ及び着信用ＬＥＤの発光（点灯）パターンを記憶する。無線部１２は、ＤＳＰ１３から受信した制御信号、音声信号等を所定の変調方式で変調しアンテナ１１へ出力し、アンテナ１１から入力された受信信号の復調を行い復調信号をＤＳＰ１３へ入力する。
【００２９】
Ｄ／Ａコンバータ１６はＤＳＰ１３の出力するディジタル音声信号や着信音等をアナログ音声信号に変換して、スピーカ１７に供給する。同様にＡ／Ｄコンバータ１４はマイク１５から入力されるアナログ音声信号をディジタル音声信号に変換してＤＳＰ１３に供給する。
【００３０】
操作部（選択手段）２１は例えばテンキー（０〜９の数字キー）＊、＃等の記号キー及びオンフックキー、オフフックキー、電源ボタン、シャッターボタン、機能選択キー（ファンクションキー）等から構成され、ユーザと携帯電話機とのインターフェースとして機能する。
【００３１】
表示部２０は例えば液晶ディスプレイや液晶タッチパネルなどからなり、ユーザの操作内容や操作メニュー、アドレス帳、携帯電話機の状態、時刻などを表示する。
【００３２】
カメラ部２３は例えばＣＣＤ等の撮像素子とレンズ等の光学系から構成される。画像処理プロセッサ２４は画像データの処理、加工、圧縮、伸長を行う。バッファメモリ２５はＣＣＤの出力に基づく画像データが一時的に格納されるメモリであり、メモリーカード（図示せず）に対する画像データの入出力速度の違いや、ＣＰＵ１８やＤＳＰ１３等の処理速度の違いを緩和するために利用される。また、例えば本携帯電話機がテレビ電話機能を行う場合などにも使用される。
【００３３】
有線／無線通信インターフェース２６は外部機器との通信を行うためのインターフェースで、無線通信インターフェースの場合には比較的短距離（約１０ｍ程度）の通信を行うインターフェースであり、ＩｒＤＡ等の赤外線通信インターフェース、Ｂｌｕｅｔｏｏｔｈ等の電波を用いる通信インターフェース等がある。
【００３４】
制御部（ＣＰＵ）１８は例えばマイクロプロセッサ（ＭＰＵ）等を有し、携帯電話機全体の動作を制御する。そして、カメラ部２３、画像処理プロセッサ２４、バッファメモリ２５、メモリ１９、有線／無線通信インターフェース２６などがバス２２を介してそれぞれ制御部１８に接続されている。
【００３５】
次に、本発明の着信用ＬＥＤの動作について図４に示す。図４はカメラ付き携帯電話機において、カメラモードへの切換え、撮影準備中（撮影直前）、撮影直後をユーザに報知する処理のフローチャートを示している。
【００３６】
携帯電話機の制御部はステップＳ１としてカメラモードに切換えられるタイミングのチェック処理を行っている。このカメラモードとはカメラ部が取り込んだ画像を表示部に表示しているような状態であり、いつでもシャッターを押すことで画像が取り込める状態を示している。また、これは、静止画の撮影だけでなく、動画の撮影及び発信することで通信相手側に画像を送信するテレビ電話モードも含む。
【００３７】
次に上述したチェック処理によりカメラモードに切換えられたことを判別したら制御部は処理をステップＳ１からステップＳ２に進め、着信用ＬＥＤを後述する点灯パターン１に従って点灯する。続いて、ステップＳ３で制御部はシャッターボタンが押下されるタイミングのチェック処理を行う。ステップＳ３のチェック処理によりシャッターボタンが押下されたのを判別したら制御部は処理をステップＳ３からステップＳ４に進め、着信用ＬＥＤを後述する点灯パターン２に従って点灯する。その後、ステップＳ５において自動焦点調節（オートフォーカス）が開始され、ステップＳ６において自動焦点調節の完了（合焦）にてフォーカスがロックされたことを判別したら制御部は処理をステップＳ７からＳ８に進め、着信用ＬＥＤを後述する点灯パターン３に従って点灯するとともにその瞬間の画像を所定の圧縮フォーマット（ＪＰＥＧ等）に従いメモリに記録する。そして記録された画像データが表示部に表示されると着信用ＬＥＤはカメラモードである点灯パターン１に切換わる。尚、上述した例では、シャッターボタンを全押しした場合を記載しているが、半押しして撮影する場合は、ステップＳ７とステップＳ８の間にシャッターボタンを押したタイミングをチェックする処理を判別するステップが必要になる。
【００３８】
このように、カメラ部を向けられている相手は、点灯パターン１により携帯電話機のユーザがカメラモードであることを認識できるので、携帯電話機のユーザが撮影を目的としてカメラを向けていることが判断できる。次に、点灯パターン２により携帯電話機のユーザがシャッターボタンを押していることを認識できるので、直前の撮影タイミングを知ることができ、うまく撮影されるように気を付けることができる。そして、点灯パターン３により撮影されたことが認識できるので、例えばうまく撮影されるように動作を止めていた場合は、これを合図に動きはじめることができる。
【００３９】
次に、図５は本携帯電話機の動作に一致して着信用ＬＥＤを発光させる一実施例である。図５（ａ）は携帯電話機の動作タイミング、（ｂ）はカメラモードを示す着信用ＬＥＤの点灯パターン１の動作タイミング、（ｃ）は撮影準備中を示す着信用ＬＥＤの点灯パターン２の動作タイミング、（ｄ）は撮影直後を示す着信用ＬＥＤの点灯パターン３の動作タイミングを示す。
【００４０】
携帯電話機がカメラモード（ｔ１）に切換えられると、着信用ＬＥＤが点灯パターン１に基づいて点灯をする。そして、携帯電話機のシャッターボタンが押された瞬間（ｔ２）から着信用ＬＥＤは点灯パターン２に基づいて点滅をし、撮影が終了（ｔ３）すると、着信用ＬＥＤは点灯パターン３に基づいて点滅し、数秒後（ｔ４）に着信用ＬＥＤは点灯パターン１に基づく点灯に戻る。
【００４１】
図６は本携帯電話機がカメラモード中に着信を受けた場合の着信用ＬＥＤを発光させる一実施例である。図５（ａ）は携帯電話機の動作タイミング、（ｂ）はカメラモードを示す着信用ＬＥＤの点灯パターン１の動作タイミング、（ｃ）は着信を受けた時の着信用ＬＥＤの点灯パターン４の動作タイミングを示す。
【００４２】
携帯電話機がカメラモード（ｔ５）に切換えられると、着信用ＬＥＤが点灯パターン１に基づいて点灯をする。このカメラモード中に携帯電話機が着信を受けると（ｔ６）、着信用ＬＥＤは点灯パターン４に基づいて点滅をする。このとき、点灯パターン４を上述した点灯パターン１乃至３と異ならせることで、着信用ＬＥＤを携帯電話機の動作状態を示す報知として兼用しても使用者は混乱することがない。そして、着信が終了（ｔ７：未応答、通話終了等）し、カメラモードが継続しているときは着信用ＬＥＤが点灯パターン１に基づいて点灯をする。
【００４３】
なお、上述した着信用ＬＥＤの点灯パターンは点滅でも点灯でもまたその両方によって報知するものでも良く、または、色彩を変更することによって報知するものでも良い。つまり、これら点灯パターンが異なっていれば良い。
【００４４】
また、本実施例において、カメラ部は表示部の面に対して反対の面（背面）に設けて記載したが、本発明は、操作者が撮影する意志がなくてもカメラ（レンズ）が人に向いてしまうような携帯端末を含むものであり、上述した実施例に限られるものではない。更に、カメラ部は着脱可能であっても良い。
【図面の簡単な説明】
【００４５】
【図１】本発明の一実施例であるカメラ付き携帯電話機の外観構成を示す図
【図２】本発明の一実施例であるカメラ付き携帯電話機の外観構成を示す図
【図３】本発明のカメラ付き携帯電話機の回路構成を示すブロック図
【図４】本発明の着信用ＬＥＤの動作処理フローチャート
【図５】着信用ＬＥＤのカメラモードにおける発光タイミング説明図
【図６】着信用ＬＥＤの着信における発光タイミング説明図
【符号の説明】
【００４６】
１：携帯電話機本体
２、１１：アンテナ
３、２１：操作部
４、１５：マイク
５、２３：カメラ部
６：着信用ＬＥＤ
７：着信報知用スピーカ
８、１７：受話スピーカ
９、２０：表示部
１２：無線部
１３：ＤＳＰ
１４：Ａ／Ｄコンバータ
１６：Ｄ／Ａコンバータ
１８：制御部
１９：メモリ
２２：バス
２４：画像処理プロセッサ
２５：バッファメモリ
２６：有線／無線通信インターフェース
【図１】
0004416783.tif 000002
【図２】
0004416783.tif 000003
【図３】
0004416783.tif 000004
【図４】
0004416783.tif 000005
【図５】
0004416783.tif 000006
【図６】
0004416783.tif 000007